(57)【要約】【課題】水銀ランプを光源として用いて高輝度の投射映像を得るためには、高出力のランプが必要となり、ランプの寿命が短い。本発明は、高出力ランプを必要とせず、光源から放出された紫外線を効率良く赤色平行光に変換し、光源及び周辺機器の寿命向上をはかる投射装置を提供する。【解決手段】光源からの光をリフレクターにより平行光にされた後、その平行光に対し時計方向に４５度の角度で傾斜して配置された第１のダイクロミラーと、前記第１のダイクロミラーと９０度の角度で組み合わされ、かつ前記リフレクターからの平行光に対し反時計方向に４５度の角度で傾斜して配置された第２のダイクロミラーと、前記第１のダイクロミラーにより反射された反射光の光軸上に設けられた光波長変換素子とを設けた構成にする。【選択図】図１
2007322852.tif 000002
【特許請求の範囲】
【請求項１】
画像投射用の光源と、
前記光源を内部に配置して前記光源から放射された光束を平行光に変換するためのリフレクターと、
前記リフレクターからの平行光に対し時計方向に４５度の角度で傾斜して配置された第１のダイクロミラーと、
前記第１のダイクロミラーと９０度の角度で組み合わされ、かつ前記リフレクターからの平行光に対し反時計方向に４５度の角度で傾斜して配置された第２のダイクロミラーと、
前記第１のダイクロミラーにより反射された反射光の光軸上に設けられた光波長変換素子と、を備えた投射表示装置。
【請求項２】
画像投射用の光源と、
前記光源を内部に配置して前記光源から放射された光束を平行光に変換するためのリフレクターと、
前記リフレクターからの平行光に対し時計方向に４５度の角度で傾斜して配置された第１のダイクロミラーと、
前記第１のダイクロミラーと９０度の角度で組み合わされ、かつ前記リフレクターからの平行光に対し反時計方向に４５度の角度で傾斜して配置された第２のダイクロミラーと、
前記第１のダイクロミラーにより反射された反射光の光軸上に設けられた光波長変換素子と、
前記光波長変換素子を略焦点位置に配置した焦点を持つ全反射ミラーと、を備えた投射表示装置。
【請求項３】
前記光源が水銀ランプである請求項１及び２に記載の投射表示装置。
【請求項４】
前記第１のダイクロミラーは、４００ｎｍ以下の波長の光を反射する光学特性を持ち、前記第２のダイクロミラーは、６００〜６５０ｎｍの波長の赤色光を反射する光学特性を持つ請求項１及び２に記載の投射表示装置。
【請求項５】
前記リフレクターは、３００〜８００ｎｍの波長の光を反射し、８００ｎｍ以上の波長の光を透過する光学特性を持つ請求項１及び２に記載の投射表示装置。
【請求項６】
前記光波長変換素子は、ガラスまたはセラミック基材上にＡｌまたは銀を用いた鏡層を形成し、その鏡層の表面にＳi酸化窒化物に中にユーロピウムＥuまたはサマリウムＳmの少なくとも一種を含有させ、紫外線を６００〜６５０ｎｍの赤色光に変換する機能を持つ光波長変換膜を形成してなる請求項１及び２に記載の投射表示装置。
【請求項７】
前記光波長変換膜は、Ｓi酸化窒化物に中にユーロピウムＥuまたはサマリウムＳmの少なくとも一種を１〜５％含むことを特徴とする請求項６記載の投射表示装置。
【請求項８】
前記波長変換膜の組成が、
α（Ｃａ1-3/2xＲＥx）m/2Ｓｉ12-m-nＯnＮ16-n  である請求項７記載の投射表示装置。
ここでＲＥはユーロピウムＥuまたはサマリウムＳmであり、かつ
０．０１＜  ｘ  ＜０．０５
０．５  ＜  ｍ  ＜３
である。
【請求項９】
前記全反射ミラーは、４００ｎｍ以下の紫外線及び６００〜６５０ｎｍの波長の赤色光を反射する反射率特性を持つ請求項２記載の投射表示装置。
【発明の詳細な説明】
【技術分野】
【０００１】
本発明は、光源と時分割又は空間分割する光変調素子とスクリーンを持つ投射表示装置に係り、特に大画面で高輝度な映像の表示を行うプロジェクター装置に好適に利用できるものである。
【背景技術】
【０００２】
従来の投射表示装置を図１０に示す。図１０において、１０１は点光源あるいは概略点光源であり、１０２は光源からの光を反射し平行光に変換するためのリフレクター、１０３は液晶やデジタル・マイクロ・ミラーからなる映像信号を１０２から出射された光を映像に変換するための光変調素子、１０４は１０３からの映像をスクリーン１０５に投射するための投射光学系である。この投射表示装置の光源１０１は、水銀ランプ、超高圧水銀ランプ、キセノンランプ、メタルハライドランプ等が用いられる。
【０００３】
光源１０１に用いられる水銀ランプは、水銀の２５４ｎｍ、２９６ｎｍ、３０２ｎｍ、３１２ｎｍ、３６５ｎｍ、４０５ｎｍ、４３６ｎｍ、５４６ｎｍのスペクトルを用い、これらとランプ内部に封入した希土類の遷移光から白色光を作り出している。一般に画像表示に用いられる光は４００−８００ｎｍである。ところが、光源１０１からは画像表示に不用な４００ｎｍ以下の波長の光（紫外線）も放射されるため、投射表示装置内の有機物を経時劣化させ、また機器内部の温度を上昇させる。
【０００４】
このため、リフレクター１０２は、図１１に示すような反射特性を持つコールドミラーとして作られており、４００ｎｍより短波長の紫外線を反射させずに通過させ、光路外に導き熱に変換している。普通、水銀ランプでは、４００ｎｍ以下の紫外線のエネルギーは全放射エネルギーの４０ー５０％である。従って、従来例では、約半分の光エネルギーがコ−ルドミラー１０２の背面から熱エネルギーとして無駄に放出されていた。
【０００５】
ＲＧＢ方式を例にとると、光変調素子１０３は、リフレクター１０２からの白色光を点線で示す青色（中心波長４５０ｎｍ）、１点鎖線で示す緑色（中心波長５４０ｎｍ）、実線で示す赤色（中心波長６００ｎｍ）の３色に分け、液晶やデジタル・マイクロ・ミラーによって画像情報を空間変調及び時間変調させる。そして凸突レンズと凹レンズが組み合わされた投射光学系１０４で、光束が拡大され、スクリーン１０５に画像が投影される。
【０００６】
上記のプロジェクター装置で投射されたスクリーン上の映像輝度は明るいことが求められるため、その光源の色温度は、８０００Ｋ以上が要求される。また、赤色、緑色及び青色の輝度は各々異なるため、一般に、光源からの光を時分割処理して不用な光や紫外線は除き、所望のＲＧＢの輝度が出せる光源が必要になる。このため、ランプの出力を大きくする必要が生じランプコストの高額化や、無駄な光エネルギーが増加するため、ランプや装置内部の部品寿命を低下する課題があった。
【０００７】
この課題を解決するため、図１０に示すような、紫外線や赤外線を白色可視光に変える波長変換素子１０６を光路中に設ける構成を示した技術がある。（例えば、特許文献１参照）この波長変換素子はガラスに希土類を混入したものから成っている。
【特許文献１】特開２００１−２６４８８０号公報
【発明の開示】
【発明が解決しようとする課題】
【０００８】
しかしながら、前記従来の構成では、２点鎖線で示す入射した紫外線が波長変換素子１０６で可視光に変換される過程で全周方向に放射されるため、平行光として光変調素子１０３に入射される成分は極わずかであり、利用できる光量が少ない。さらに光路上に波長変換素子１０６を配置するため、波長変換素子１０６を透過する光は散乱により実効輝度が低下し、可視光エネルギーの増加が得られない。
【０００９】
さらに水銀ランプでは、上記赤、緑、青の三原色のうち赤色のエネルギーが最も小さく、混色した白色で高い輝度を得るためには赤色のエネルギー量できまるので、他の青色、緑色のエネルギーは時分割処理を行って除去する必要がある。このため高輝度の投射映像を得るためには、高出力のランプが必要となり、ランプの寿命が短く、およそ１０００時間程度でランプ交換を行わねばならない。
【００１０】
本発明は、前記従来の課題を解決するもので、高出力ランプを必要とせず、光源から放出された紫外線を効率良く赤色平行光に変換し、光源及び周辺機器の寿命向上をはかることを目的とする。
【課題を解決するための手段】
【００１１】
前記従来の課題を解決するために、本発明の投射表示装置は、画像投射用の光源と、前記光源を内部に配置して前記光源から放射された光束を平行光に変換するためのリフレクターと、前記リフレクターからの平行光に対し時計方向に４５度の角度で傾斜して配置された第１のダイクロミラーと、前記第１のダイクロミラーと９０度の角度で組み合わされ、かつ前記リフレクターからの平行光に対し反時計方向に４５度の角度で傾斜して配置された第２のダイクロミラーと、前記第１のダイクロミラーにより反射された反射光の光軸上に設けられた光波長変換素子と、を備えたことを特徴としたものである。
さらに本発明の投射表示装置は、画像投射用の光源と、前記光源を内部に配置して前記光源から放射された光束を平行光に変換するためのリフレクターと、前記リフレクターからの平行光に対し時計方向に４５度の角度で傾斜して配置された第１のダイクロミラーと、前記第１のダイクロミラーと９０度の角度で組み合わされ、かつ前記リフレクターからの平行光に対し反時計方向に４５度の角度で傾斜して配置された第２のダイクロミラーと、前記第１のダイクロミラーにより反射された反射光の光軸上に設けられた光波長変換素子と、前記光波長変換素子を略焦点位置に配置した焦点を持つ全反射ミラーと、を備えたことを特徴としたものである。
【発明の効果】
【００１２】
本発明の投射表示装置によれば、光源から放射された光エネルギーのうち、これまで使用されていなかった紫外線光成分を赤色平行光に変換して表示に利用するため、エネルギーの利用効率を向上させることができ、これにより投写型表示装置にて表示される表示画像の輝度を向上させること同時に、装置温度を低下させ光源の長寿命化が可能となる。
【発明を実施するための最良の形態】
【００１３】
以下に、本発明の投射表示装置の実施の形態を図面とともに詳細に説明する。
【実施例１】
【００１４】
図１は、本発明の第１の実施例における投射表示装置の構成図を示す。本発明の投射表示装置は光源１と砲弾型の反射ミラーからなるリフレクター２、光路中に紫外線及び６００〜６５０ｎｍの光を反射する第１のダイクロミラー３、砲弾型あるいは半球状の全反射ミラー４、波長変換素子５、６００〜６５０ｎｍの光を反射する第２のダイクロミラー６、液晶からなる光変調素子１３、投射光学系１４、スクリーン１５からなる。
【００１５】
光源１は高い輝度を要求されるため、高圧水銀ランプ、キセノンランプ、メタルハライドランプ等の高エネルギーの紫外線光を長波長の光に変換するランプが用いられる。また光源アーク長は、リフレクター２で平行光を得るため、できるだけ短い点光源に近いことが望ましく、光源アーク長としては１．５ｍｍより小さいことが望ましい。さらにより平行光にするためレンズアレイからなるインテグレータレンズやロッドインテグレータ等を光路中に設けても良い。
【００１６】
図２に上記光源１の例として高圧紫外線ランプからの発光スペクトルを示す。４００〜８００ｎｍの画像表示に使われる可視光より低波長側に３１２ｎｍ、３６５ｎｍの紫外線のエネルギーが多くあることがわかる。
【００１７】
光源１から発せられた光は、リフレクター２によって平行光に変換され、光変調素子１３に入射する。リフレクター２の表面には、約３００〜８００ｎｍの光を９０％以上反射する反射膜を設ける。このリフレクター２の反射率特性を図３に示す。また、８００ｎｍ以上の光は光路中で熱に変わるためリフレクター２の背後から透過させることが望ましい。このような反射膜は誘電体多層膜やＡｌミラーや銀ミラーで作製できるが、Ａｌミラーや銀ミラーは赤外線も反射するため、誘電体多層膜ミラーで作製することが望ましい。この誘電体多層膜は、砲弾形状のガラス上に屈折率２．３１の１０〜１００ｎｍ厚の酸化ニオブ膜と屈折率１．９８の１０〜１００ｎｍ厚の酸化シリコン膜を交互に２０から６０層積層し、各々の界面の反射特性を合成することにより得られる。積層する層が２０層未満では、リップルが生じて波長立ち上がり特性が劣化し、積層する層が６１層を越えると膜応力が増大して基板のソリが生じるので、図３の反射率特性が得られない。なお、酸化ニオブの代わりに酸化チタンを用いても実現できるが、酸化チタンは青色領域に吸収を持つため酸化ニオブの方がより好ましい。
【００１８】
第１のダイクロミラー３と第２のダイクロミラー６とは互いに９０度の角度で組み合わされており、リフレクター２から放射される平行光の光束内部に配置されている。第１のダイクロミラー３と第２のダイクロミラー６の傾きは、リフレクター２からの平行光に対して、各々時計方向に４５度、反時計方向に４５度の角度を持つように配置されている。
【００１９】
第１のダイクロミラー３は、図４に示す反射率特性を持ち、図１の２点鎖線１９で示す４００ｎｍ以下の紫外線を反射し、４００−８００ｎｍの光は透過する光学多層膜からなる。この光学多層膜は、板ガラス上に屈折率２．３１で１０〜１００ｎｍ厚の酸化ニオブ膜と屈折率１．４８で１０〜１００ｎｍ厚の酸化シリコン膜を交互に２０から６０層積層し、各々の界面の反射特性を合成することにより得られる。（※臨界委条件を書く。）積層する層が２０層未満では、リップルが生じて波長立ち上がり特性が劣化し、所望の光学特性が得られず、積層する層が６１層を越えると膜応力が増大して基板にソリを生じるので、いずれも図４の反射率特性が得られない。なお、第１のダイクロミラー３の裏面に、反射防止膜を設けてもよい。光源からリフレクター２を通して反射されてきた平行光のうち、３００〜４００ｎｍの紫外線はダイクロミラー３で折り曲げられ、全反射ミラー４へ導かれる。
【００２０】
全反射ミラー４の形状は、砲弾型あるいは半球状をしており、ダイクロミラー３から来た概略平行の２点鎖線１９で示す３００〜４００ｎｍの紫外線を光波長変換素子５に集める。光波長変換素子５は、３００〜４００ｎｍの紫外線を６００〜６５０ｎｍの赤色光に変換するために用いられる。この光波長変換素子５は、図５に示すように砲弾型あるいは半球状の全反射ミラー４の焦点に配置されているため、光波長変換素子５から発光した６００〜６５０ｎｍの光を平行光として第２のダイクロミラー６に入射する。全反射ミラー４は、３００〜４００ｎｍの紫外線と６００〜６５０ｎｍの赤色光を反射すればよいので安価なＡｌミラーや銀ミラーで実現出来る。
【００２１】
図５に波長変換素子５の外観を示す。波長変換素子５は、ガラス又はセラミックス基板５１の表面に６５０〜８００ｎｍの光を反射する鏡５２を形成し、その鏡５２の表面にＳi窒化酸化物ＳiＮ4-xＯxに少なくともユーロピウムＥu又はサマリウムＳmの少なくとも一種を、０．５〜１０％望ましくは１−５％混ぜた膜５３をスパッタ法、蒸着法又は塗布法で形成して作成する。混合比率が、０．５％未満では、十分な赤色光量が得られなくなり、１０％以上では、光散乱が生じて所望の特性が得られない。なお、鏡５２は安価なＡｌミラーまたは銀ミラーが使用できる。
【００２２】
Ｓi酸化窒化物は、Ｓi酸化物ＳiＯ2またはＳi窒化物ＳiＮxでも良いが、アルミナＡｌ2Ｏ3、炭酸カルシウムＣaＣＯ3を混入したα−ＳiＡｌＯＮすなわち
α（Ｃa1-3/2xＲＥx）m/2Ｓｉ12-m-nＯnＮ16-n  が最も望ましい。
ここでＲＥはユーロピウムＥu又はサマリウムＳmの少なくとも一方である。また、ｍは０．５以上３以下、ｍ＝２ｎ、ｘは０．０１以上０．０５以下が、変換効率が良く、材料形成の上で望ましい。（※臨界条件を書く。）ｍが０．５未満あるいは３を越えると、光変換効率が下がるため、良好な光波長変換素子が出来ない。また、ｍ＝２ｎの関係が満たされなければ、ストイキオメトリーがずれるため求める結晶が出来ない。さらに、ｘが０．０１未満あるいは０．０５を越えると、潮解性のため、実用的なＳｉ窒化物が出来ない。Ｃaサイトの一部をＥu又はサマリウムＳmに置き換えることで、紫外線エネルギーを高い変換効率で６００〜６５０ｎｍの赤色光に変換する特性を持つ。α−ＳiＡｌＯＮはＳi3Ｎ4、ＡｌＮ、ＣａＣＯ3、ユーロピウムＥu又はサマリウムＳmの酸化物または炭酸化物の粉体を混合して高温窒素雰囲気中で焼成するか、Ｓi，Ａｌ、ＣaＣＯ3、ＥuまたはＳmを酸素窒素雰囲気中でスパッタあるいは蒸着して得られる。
【００２３】
以上の様に形成された膜５３に３００〜４００ｎｍの紫外線が照射されると、３００〜４００ｎｍの紫外線はＳi酸化窒化物に吸収され、ドーピングされたユーロピウムＥu又はサマリウムＳmによって６００〜６５０ｎｍの赤色蛍光として光波長変換素子５の全周方向に発光する。全周発光され光のうち砲弾型あるいは半球状の全反射ミラー４側に放射された赤色光は全反射ミラー４で平行光にされ、ミラー４と反対側に放射された赤色光はガラス基板の鏡５２で反射され、さらに全反射ミラー４で平行光として反射され、それぞれ第２のダイクロミラー６に入射する。
【００２４】
基板５１上に鏡５２を設けた例を述べたが、ユーロピウムＥu又はサマリウムＳmを１〜５％含むバルクのＳi酸化窒化物を作製し、砲弾型あるいは半球状の全反射ミラー４の焦点位置に配置しても良い。また、本発明の実施に鏡５２は必ずしも必要では無い。基板５１を６００〜６５０ｎｍの光を透過するガラス又はセラミック材料で構成すると、鏡５２を設けなくても良い。さらに、基板５１上に３００〜４００ｎｍの紫外線を反射し６００〜６５０ｎｍの光を透過する光学多層膜を形成する構造にしても良い。この構成の場合は、放射光の半分が直接第２のダイクロミラー６に入射する。
【００２５】
第２のダイクロミラー６は、図６に示す６００〜６５０ｎｍの光のみ反射する特性を持ち、赤色平行光のみ光路に戻す。この光学多層膜からなるダイクロミラー６は、板ガラス上に例えば屈折率２．３１の１０〜１００ｎｍ厚の酸化ニオブ膜と屈折率１．４８の１０〜１００ｎｍ厚の酸化シリコン膜を交互の約２０から１００層積層することによりその界面の反射特性を用いて得られる。積層する層が２０層未満では、リップルが生じて波長立ち上がり特性が劣化し、積層する層が１０１層を越えると膜応力が増大して基板のソリが生じ、所望の反射率特性が得られない。光源１から来た６００〜６５０ｎｍ赤色光はここで折り曲げられるが、紫外線エネルギーを利用して得られる光波長変換素子５から発せられる赤色光のエネルギーの方が大きいため全赤色エネルギーは増大する。
【００２６】
本発明の効果を示すために、図７に光変調装置１３に入る前の光束の分光分布特性を示す。本発明での分光分布特性を図７下図に黒実線で示し、従来例の光学系の分光特性は、図７の上図に点線で示す。図7で明らかなように、本発明を実施することで、５８０〜６１０ｎｍ、６３０〜６４０ｎｍのエネルギーはやや低下するが、６１０〜６３０ｎｍで大幅にエネルギーが増加し、従来１０％程度であった赤色のエネルギーが１４％に増加している。このため、従来は達成が難しかった赤色の鮮明度が向上する効果が生じる。
【００２７】
第２のダイクロミラー６で折り曲げられた光は、光変調装置１３へ投射される。光変調装置１３が液晶方式の場合を図１に示す。図８に示す特性を持つダイクロミラー７により、実線で示す５９０〜８００ｎｍｎｍの赤色は分離され、フィールドミラー８でさらに折り曲げられ赤色の画像マトリクスを持つ液晶を通りプリズムを通して投射光学系１４へ入射される。図８に示す特性を持つダイクロミラー９において一点鎖線で示す５００〜５９０ｎｍの緑色は分離、折り曲げられ緑色の画像マトリクスを持つ液晶を通りプリズムを通して投射光学系１４へ入射される。残った点線で示す４００〜５００ｎｍの青色はフィールドミラー１０、１１でさらに折り曲げられ青色の画像マトリクスを持つ液晶を通りプリズムを通して投射光学系１４へ入射される。フィールドミラー１０を図８の特性を持つダイクロミラーで形成しても良い。それぞれの光路の途中にトリミングフィルタで色成型しても良い、赤外線フィルタ、紫外線反射フィルタを設けて光変調素子１３の温度上昇を防いでも良い。
【００２８】
以上のように、本発明により、同じランプを用いても輝度を１４０％向上することができる。さらに紫外線の戻り光が減ることや、無駄に捨てられる光が減少することで、機器内部の温度上昇を低減でき、さらにランプ寿命を１．８倍に延ばすことが出来る。
【００２９】
本実施例１では、光学変調装置１３を液晶装置方式を例に取り説明したが、カラーホイルとデジタル・マイクロ・ミラーを用いて画像変調するミラーデバイス方式に適用できることは言うまでもない。
【実施例２】
【００３０】
図９は、本発明の第２の実施例における投射表示装置の構成図を示す。実施例１との相違は、実施例１の構成要素であった砲弾型あるいは半球状の全反射ミラー４、光波長変換素子５を平板の全反射ミラー９２、光波長変換素子９３に交換した以外は実施例１と同じ構成である。
【００３１】
図４の特性を持つダイクロミラー３から来た概略平行の２点鎖線１９で示す３００〜４００ｎｍの紫外線は、基板９１上に６５０〜８００ｎｍの光を反射する鏡９２を形成した上に形成された光波長変換素子９３で赤色に変換される。この光波長変換素子９３の材料や作成方法は、実施例１と同様である。なお、必要に応じてインテグレータレンズ９４を設けても良い。基板９１の背面に６５０〜８００ｎｍの光を反射する鏡、前面に光波長変換素子を設けても良い。この構成では、光波長変換素子を高温で作製する事による基板の変形や光波長変換素子の表面の粗さの影響が緩和される。またバルクの光波長変換素子の背面に６５０〜８００ｎｍの光を反射する鏡を設ける構造でも良い。この構成では光波長変換素子を高温で作製する事による基板の変形による歩留まりの低下を低減でき、安価に機器を構成できる。
【００３２】
実施例２の構成にすることにより、大面積で光波長変換でき、光量が増加すると同時に、光波長変換素子の発熱が抑制され、光変換効率の低下が抑制される。またα−ＳiＡｌＯＮは焼成に高温を要すため平面上に構成することにより製造効率が良く、安価に構成できる。
【００３３】
本発明を用いることにより同じ輝度の紫外線ランプを用いても、６００〜６５０ｎｍの赤色のエネルギーを増加させることができ、より明るい画面を得ることができる。また同輝度を得るためには、より低出力の超高圧水銀ランプを使用できるので、ランプ寿命を延ばす効果が得られる。
【産業上の利用可能性】
【００３４】
本発明にかかる光波長変換素子を用いた投射表示装置は、光源から発生した紫外線を赤色光の平行光にする機能を有し、投射表示装置の輝度向上、ランプの寿命向上有用である。
【図面の簡単な説明】
【００３５】
【図１】本発明の実施例１における投射表示装置の構成図
【図２】本発明の実施例１における超高圧水銀ランプ１の分光分布特性を示す図
【図３】本発明の実施例１におけるリフレクター２の反射率特性を示す図
【図４】本発明の実施例１における第１のダイクロミラー３の反射率特性を示す図
【図５】本発明の実施例１におけるリフレクター４と光波長変換素子５の構成図
【図６】本発明の実施例１における第２のダイクロミラー６の反射率特性を示す図
【図７】本発明の実施例１と従来例における光エネルギーの分光分布特性の比較図
【図８】本発明の実施例１における光変調素子１３の波長特性を示す図
【図９】本発明の実施例２における投射表示装置の構成図
【図１０】従来例における投射表示装置の構成図
【図１１】従来例におけるリフレクター１０２の反射率特性を示す図
【符号の説明】
【００３６】
１、１０１  光源
２、１０２  砲弾型のリフレクター
３  第１のダイクロミラー
４  砲弾型あるいは半球状の全反射ミラー
５  光波長変換素子
６  第２のダイクロミラー
７  赤ダイクロミラー
８  フィールドミラー
９  緑ダイクロミラー
１０  青ダイクロミラー
１１  フィールドミラー
１３、１０３  光変調素子
１４、１０４  投射光学系
１５、１０５  スクリーン
１６  赤色光
１７  緑色光
１８  青色光
１９  紫外線
５１、９３  波長変換膜
５２、９２  鏡
５３、９１  基板
１０６  波長変換素子
【図１】
2007322852.tif 000003
【図２】
2007322852.tif 000004
【図３】
2007322852.tif 000005
【図４】
2007322852.tif 000006
【図５】
2007322852.tif 000007
【図６】
2007322852.tif 000008
【図７】
2007322852.tif 000009
【図８】
2007322852.tif 000010
【図９】
2007322852.tif 000011
【図１０】
2007322852.tif 000012
【図１１】
2007322852.tif 000013